(57)【要約】サーマルサイクラーとともに使用される反応容器アセンブリが記載される。アセンブリは、反応容器と、キャビティを画定するケーシングとを含む。第１構成において、ケーシングは、キャビティ内に反応容器を受容し、反応容器のための保護ケーシングとして機能する。第２構成において、ケーシングは、反応容器のマウスと係合して当該容器を閉じる。この構成では、ケーシングはハンドルとしても機能する。好ましい実施例では、反応容器は毛細管の形態であり及び／又は一体型コリメートレンズを含む。所定の実施例はまた、ＲＦＩＤタグも含む。
2014505856.tif 000002
【特許請求の範囲】
【請求項１】
サーマルサイクル反応に使用される反応容器アセンブリであって、
マウス、ボディ、及びチップを有する少なくとも一つの反応容器と、
開口を有するキャビティを画定するケーシングと
を含み、
前記ケーシングはさらに係合表面を有し、
第１構成において前記反応容器は前記ケーシングのキャビティ内に前記開口を介して受容され、
第２構成において前記ケーシングの係合表面は前記反応容器のマウスと係合して前記マウスを閉じるアセンブリ。
【請求項２】
前記ケーシングは、ユーザが把持するべく適合されたフィンガーグリップ、凹部、又は他の形成部を含む、請求項１に記載のアセンブリ。
【請求項３】
複数の反応容器を含む、請求項１又は２に記載のアセンブリ。
【請求項４】
前記複数の反応容器は、例えばストリップとして又はマルチウェルプレートとして接合される、請求項３に記載のアセンブリ。
【請求項５】
複数の又は単数の前記反応容器は細長い、請求項１から４のいずれか一項に記載のアセンブリ。
【請求項６】
前記ケーシングの開口は前記ケーシングの第１部分上に存在し、前記係合表面は前記ケーシングの対向第２部分上に存在する、請求項１から５のいずれか一項に記載のアセンブリ。
【請求項７】
前記第１構成において、前記反応容器のマウスは、前記反応容器がユーザの前記反応容器内部へのアクセスを許容するように前記ケーシングの開口と整合される、請求項１から６のいずれか一項に記載のアセンブリ。
【請求項８】
前記反応容器のボディは毛細管の形態である、請求項１から７のいずれか一項に記載のアセンブリ。
【請求項９】
前記反応容器のマウスは、直径が前記ボディより大きい、請求項１から８のいずれか一項に記載のアセンブリ。
【請求項１０】
前記反応容器のチップは一体型コリメートレンズを含む、請求項１から９のいずれか一項に記載のアセンブリ。
【請求項１１】
前記レンズは正メニスカスレンズである、請求項１０に記載のアセンブリ。
【請求項１２】
前記反応容器は親水性ポリマーから製造される、請求項１から１１のいずれか一項に記載のアセンブリ。
【請求項１３】
前記ケーシングの係合表面は、前記反応容器のマウス部分内に嵌まるサイズ及び形状の一以上の突起を有する、請求項１から１２のいずれか一項に記載のアセンブリ。
【請求項１４】
前記第２構成において、前記突起は前記反応容器のマウスを実質的に埋める、請求項１３に記載のアセンブリ。
【請求項１５】
前記ケーシングの係合表面は、第２構成にある場合に前記反応容器の外表面と係合するべく設計された一以上の戻り止め又は他のフィーチャを含む、請求項１から１４のいずれか一項に記載のアセンブリ。
【請求項１６】
前記ケーシングの開口は、第１構成にある場合に前記反応容器の外表面と係合するべく設計された一以上の戻り止め又は他のフィーチャを含む、請求項１から１５のいずれか一項に記載のアセンブリ。
【請求項１７】
前記反応容器は、前記ケーシングの一部と係合するべく設計された一の戻り止め又は他の形成部を含む、請求項１から１６のいずれか一項に記載のアセンブリ。
【請求項１８】
前記ケーシングの係合表面には、前記係合表面と前記反応容器との気密嵌めを確保する弾性ガスケットが設けられる、請求項１から１７のいずれか一項に記載のアセンブリ。
【請求項１９】
ＲＦＩＤタグ又は他の標識をさらに含む、請求項１から１８のいずれか一項に記載のアセンブリ。
【請求項２０】
請求項１から１９のいずれか一項に記載のアセンブリとともに使用される反応容器アレイであって、
前記アレイは、マウス、ボディ、及びチップを有する少なくとも一つの反応容器を含み、
前記アレイは、開口を有するキャビティを画定するケーシングとともに使用されるのに適切であり、
前記ケーシングはさらに係合表面を有し、
第１構成において前記反応容器は前記ケーシングのキャビティ内に前記開口を介して受容され、
第２構成において前記ケーシングの係合表面は前記反応容器のマウスと係合して前記マウスを閉じるアレイ。
【請求項２１】
請求項１から１９のいずれか一項に記載のアセンブリとともに又は請求項２０に記載の反応容器アレイとともに使用されるケーシングであって、
前記ケーシングは開口を有するキャビティを画定し、
前記ケーシングはさらに係合表面を有し、
第１構成において前記反応容器は前記ケーシングのキャビティ内に前記開口を介して受容され、
第２構成において前記ケーシングの係合表面は前記反応容器のマウスと係合して前記マウスを閉じるケーシング。
【請求項２２】
サーマルサイクル反応に使用される反応容器アレイであって、
前記アレイは、それぞれがマウス、ボディ、及びチップを有する複数の反応容器を含み、
前記反応容器のチップは一体型コリメートレンズを含むアレイ。
【請求項２３】
ＲＦＩＤタグ又は他の標識をさらに含む、請求項２２に記載のアレイ。
【発明の詳細な説明】
【技術分野】
【０００１】
本発明は反応容器アセンブリに関し、主としてではあるが限定的ではなく、例えば核酸のポリメラーゼ連鎖反応（ＰＣＲ）増幅に使用されるサーマルサイクラーとともに使用される反応容器アセンブリに関する。
【背景技術】
【０００２】
サーマルサイクルアプリケーションは、現代分子生物学の一構成部分をなす。例えば、核酸を増幅するべく使用されるポリメラーゼ連鎖反応（ＰＣＲ）は、一サンプル中のＤＮＡ量の大きな増幅を得るべく、異なる温度での一連のＤＮＡ溶解、アニーリング、及びポリメライゼーションのステップを使用する。従来型ＰＣＲ反応は、密閉容器内で進められていた。増幅は、完了した反応物から一サンプルを抽出し及び当該結果物をゲル電気泳動によって分析することで確認されていた。
【０００３】
この従来型分析法によれば、ユーザが、当該サイクルが完了した後に増幅が生じていることが確認できるようになるまで待つ必要がある。これは、例えば、増幅失敗に起因してサイクル反応を繰り返さなければならない場合、実験データの取得の遅延につながり得る。これを理由として、ＰＣＲ及び他の増幅結果物を分析する代替的な方法が開発されている。この方法は、反応の初期段階で増幅を測定するべく使用することができる。このような方法の一つは、反応物に蛍光標識ヌクレオチドを組み入れることを含む。ＤＮＡが増幅されると、蛍光強度が増大する。この蛍光を反応中に検出することで、増幅進行のリアルタイム表示を得ることができる。他の多くの分子生物学的方法は、反応の進行を決定するべく光測定、例えば特定波長の吸光度を利用する。
【０００４】
反応の進行中における蛍光又は他の光特性測定には、器具類及び消耗品の設計上、特有の問題がある。従来型ＰＣＲ反応容器は、均一テーパの円錐部分を有する複数の個別容器形態、又は一のマルチウェルプレートの形態をとる。このような容器は、照明及び放出光に対して比較的大きな断面積を有するので、検出器にて受容される光強度が低減される。さらに、このような容器の円錐部分は、比較的高体積の反応混合物を包囲する。当該反応混合物は高いサーマルラグを有する。これは長いサイクル時間につながる。反応混合物の体積を低減すれば、この困難性を低減することができるが、反応により生成される蛍光量も低減するので、高感度な検出器が必要となる。また、サーマルサイクラーは、反応容器から放出された光を集光するべく、かつ、容器と光検出器との不整合の影響を低減するべく、複雑な光学部品を含む必要がある。
【０００５】
また、サーマルラグの影響は、反応容器壁の厚さによって悪化する。０．５ｍｍ厚程度の薄壁容器が利用可能であるが、射出成形技術上の制約が、従来型反応容器を実質的に薄壁に製造することの妨げとなりがちである。
【０００６】
反応容器は毛細管の形態で製造することができるが、これは、当該容器に対する不測の損傷を防ぐべく慎重な取り扱い及び移送を必要とする。
【０００７】
取り外し可能蓋を有する様々なタイプの反応容器が記載されている。例えば特許文献１は、ハンドル付き取り外し可能カバーを記載する。特許文献２は、反応容器用ホルダを記載する。特許文献３は、反応容器を閉じる一体型カバーを有するサーマルサイクル装置を記載する。特許文献４は、反応容器に対して付勢されるカバーを記載する。特許文献５は、熱シールによって反応容器に固定可能なカバーを記載する。特許文献６は、バイアルシールであって、当該シールが開放されていてもいくつかのバイアルとのシールを確保する開口を含むバイアルシールを記載する。特許文献７は、一般に平坦な外形を有する薄壁反応容器を記載する。
【０００８】
本発明の実施例は、サーマルサイクル反応での使用に特に適した代替的な反応容器を与えることを目的とする。
【先行技術文献】
【特許文献】
【０００９】
【特許文献１】米国特許第５，７２０，４０６号明細書
【特許文献２】米国特許第５，６１６，３０１号明細書
【特許文献３】米国特許第６，１５３，４２６号明細書
【特許文献４】米国特許第６，６２０，６１２号明細書
【特許文献５】欧州特許出願公開第１９７４８１８（Ａ１）号明細書
【特許文献６】米国特許第５，００５，７２１号明細書
【特許文献７】国際公開第２００６／０２４８７９号パンフレット
【発明の概要】
【００１０】
本発明の第１側面によれば、サーマルサイクル反応に使用される反応容器アセンブリであって、マウス、ボディ、及びチップを有する少なくとも一つの反応容器と、開口を有するキャビティを画定するケーシングとを含み、当該ケーシングはさらに係合表面を有し、第１構成において当該反応容器は当該ケーシングのキャビティ内に当該開口を介して受容され、第２構成において当該ケーシングの係合表面は当該反応容器のマウスと係合して当該マウスを閉じる。
【００１１】
すなわち、ケーシングは、第１構成において取り扱い及び移送中に反応容器への損傷を回避又は低減する保護ケーシングとして機能する一方、第２構成においてケーシングは、反応容器のマウスをシールする蓋として機能することにより漏洩及び蒸発を防止する。
【００１２】
ケーシングはまた、ユーザが反応容器を操作及び移送するハンドルとしても機能する。これを目的として、本発明の所定実施例では、ケーシングは、ユーザが把持するべく構成されたフィンガーグリップ、凹部、又は他の形成部を含む。ケーシングをハンドルとして使用することにより、ユーザが反応容器に直接接触する必要性がなくなる。当該接触は、不測の温度変化及び内容物の汚染リスク増加につながり得る。
【００１３】
好ましくは、アセンブリは複数の反応容器を含む。特に好ましい実施例では、３つの反応容器が存在するが、異なる数を使用してもよい。複数の反応容器は、例えばストリップとして又はマルチウェルプレートとして接合されるのが好ましい。
【００１４】
単数又は複数の反応容器は細長いのが好ましく、ケーシングはそれに応じたサイズ及び形状とされる。ケーシングの開口は、ケーシングの第１部分にあるのが好ましく、係合表面は、ケーシングの対向第２部分にあるのが好ましい。例えば、開口及び係合表面はそれぞれ、ケーシングの頂部及び底部に存在する。
【００１５】
第１構成において、反応容器のマウスは、当該反応容器が開いてユーザの反応容器内部へのアクセスを許容するようにケーシングの開口と整合されるのが好ましい。これにより、反応容器に対する試薬の追加又は除去が、ケーシングによって保護されたまま可能となる。
【００１６】
反応容器のボディは、毛細管の形態にあることが好ましい。これにより、サイクル数を低減する低体積の試薬を使用することができる。
【００１７】
好ましくは、反応容器のマウスはボディよりも直径が大きい。
【００１８】
好ましくは、反応容器のチップは一体型コリメートレンズを含む。レンズは正メニスカスレンズである。正（又は収束）メニスカスレンズは、周縁よりも中心が厚い凹凸レンズである。他の形態のコリメートレンズ（例えばフレネルレンズ）を使用することもできるが、正メニスカスレンズが好ましい。コリメートレンズの存在によって、反応容器内で生成される任意の光が確実にコリメートされ、サーマルサイクラーの光ダイオード又は他の光検出手段にて、当該反応容器の全長に沿った蛍光を代表する均一光及び画像を得ることができる。光がコリメートされるので、サーマルサイクラーの光検出機構は、当該機構に対する反応容器位置の不整合又は他の小さなばらつきの耐性が大きくなり得る。これは、製造公差が大きくなり得ることと、このような不整合を補償するべく複雑な光学的配置をサーマルサイクラーに含ませる必要がなくなることとの双方を意味する。さらに、別個のレンズアセンブリをサーマルサイクラー内に設けるのではなく、コリメートレンズを反応容器に一体化することが、サーマルサイクラー製造の複雑性をここでも低減し、当該反応容器を当該別個のレンズアセンブリに整合させる必要性をなくす。また、一体型レンズは一般に、反応容器及びレンズがプラスチック材料から製造される場合に特に、比較的安価に製造される。
【００１９】
好ましくは反応容器はプラスチック材料から製造され、さらに好ましくは、親水性ポリマーから製造される。好ましい材料は、例えばＭａｋｒｏｌｏｎ（登録商標）という商標名で販売されているポリカーボネートである。親水性ポリマーの使用により、チューブを、サーマルサイクラー内にある場合に、一般に水平の位置に漏洩なしで保持することができる。所定のサーマルサイクラー、例えば、出願人の同時継続特許出願である英国特許出願第１０１６０１４．１号又は対応する国際出願第ＧＢ２０１１／０５１７８７号に記載されるものは、サイクル時において反応容器を一般に水平の配向に保持するように設計される。他の適切な材料は、任意の適切な透明材料を含む。例えば、ガラス、トパーズ、ポリスチレンである。
【００２０】
ケーシングの係合表面には、弾性ガスケットが設けられる。これにより、係合表面と反応容器との気密嵌めが確保される。ガスケットは任意の適切な材料から作ることができる。特に好ましくは、ゴム、サントプレーン（登録商標）、ＰＴＦＥ等である。
【００２１】
ケーシングの係合表面は、反応容器のマウス部分内に嵌まるサイズ及び形状の一以上の突起を有するのが好ましい。突起の数は一般に、反応容器の数に対応する。突起は、第２構成にある場合に反応容器との締まり嵌めを形成するのが好ましい。これにより、反応容器に気密シールが作られ、ケーシングの取り扱いによって容器を操作することができる。反応容器の内容物の蒸発を低減することもできる。また突起は、係合時に反応容器内の圧力を増大させるので、さらに蒸発が低減される。
【００２２】
突起は、反応容器のマウス内に延びるのが好ましい。最も好ましい実施例では、突起は、反応容器のマウスを実質的に埋める。
【００２３】
また、ケーシングの係合表面は、一以上の戻り止め又は他のフィーチャを有する。これは、第２構成にある場合に反応容器の外表面と係合するべく設計される。これは、反応容器へのケーシングの保持を補助し得る。
【００２４】
ケーシングの開口もまた、一以上の戻り止め又は他のフィーチャを有する。これは、第１構成にある場合に反応容器の外表面と係合するべく設計される。
【００２５】
また反応容器も、ケーシングの一部と係合するべく設計される戻り止め又は他の形成部を含む。例えば、反応容器は、マウスに隣接して形成されるリップを含み得る。これは、第１構成においてケーシングの開口と係合する。
【００２６】
アセンブリはさらに、ＲＦＩＤタグ又は他の標識を含む。ＲＦＩＤタグは、反応容器に又はケーシングに設けることができる。タグは、容器又はケーシングに埋め込むことができる。または、ラベルに設けることもできる。ＲＦＩＤタグは情報を含むべく構成される。当該情報は、ＲＦＩＤタグリーダーが特定のアセンブリを識別できるように、又はリーダーがアセンブリの意図された使用を決定できるように選択される。情報は例えば、アセンブリの特定デバイス（例えばサーマルサイクラー）に参照事項を与え並びに／又は試験のタイプ、ロット及び使用期限日、若しくは陽性結果のピーク位置のいずれか若しくはすべてを確認することができる。タグは、読み込み／書き出しフラグにアセンブリが既に使用されたか否かを表示させる能力を有し得る。好ましくは、結果を保存するオプションも含む。データは、暗号化され又はされない小さなｘｍｌストリング又は他のテキストストリングとして保存することができる。使用時、サーマルサイクラーは、ＲＦＩＤタグに記録された情報を読み込んで、所望の試験（例えば、ＰＣＲサイクル数、及び蛍光検出）を行う適切なオペレーティングプログラムを選択することができる。このため、ユーザは、サーマルサイクラーを手動でプログラムする必要がない。同様に、サイクラーは、使用期限日が過ぎていないことを確認し、過ぎている場合にはオペレータに警告することができる。
【００２７】
本発明のさらなる一側面によれば、サーマルサイクル反応に使用される反応容器アレイが与えられる。当該アレイは、それぞれがマウス、ボディ、及びチップを有する複数の反応容器を含む。反応容器のチップは、一体型コリメートレンズを含む。
【００２８】
レンズは正メニスカスレンズである。正（又は収束）メニスカスレンズは、周縁よりも中心が厚い凹凸レンズである。他の形態のコリメートレンズ（例えばフレネルレンズ）も使用することができるが、正メニスカスレンズが好ましい。コリメートレンズの存在によって、反応容器内で生成される任意の光が確実にコリメートされ、サーマルサイクラーの光ダイオード又は他の光検出手段にて、当該反応容器の全長に沿った蛍光を代表する均一光及び画像を得ることができる。光がコリメートされるので、サーマルサイクラーの光検出機構は、当該機構に対する反応容器位置の不整合又は他の小さなばらつきの耐性が大きくなり得る。これは、製造公差が大きくなり得ることと、このような不整合を補償するべく複雑な光学的配置をサーマルサイクラーに含ませる必要がなくなることとの双方を意味する。さらに、別個のレンズアセンブリをサーマルサイクラー内に設けるのではなく、コリメートレンズを反応容器に一体化することが、サーマルサイクラー製造の複雑性をここでも低減し、当該反応容器を当該別個のレンズアセンブリに整合させる必要性をなくす。また、一体型レンズは一般に、反応容器及びレンズがプラスチック材料から製造される場合に特に、比較的安価に製造される。
【００２９】
アレイはさらに、ＲＦＩＤタグ又は他の標識を含む。タグは、アレイに埋め込むことができる。または、ラベルに設けることもできる。ＲＦＩＤタグは情報を含むべく構成される。当該情報は、ＲＦＩＤタグリーダーが特定のアレイを識別できるように、又はリーダーがアレイの意図された使用を決定できるように選択される。情報は例えば、アレイの特定デバイス（例えばサーマルサイクラー）に参照事項を与え並びに／又は当該アレイの内容物に対して行われる試験のタイプ、ロット及び使用期限日、若しくは陽性結果のピーク位置（例えば、放出される蛍光の周波数）のいずれか又はすべてを確認することができる。タグは、アレイが既に使用されたか否かを読み込み／書き出しフラグに表示させる能力を有し得る。好ましくは、結果を保存するオプションも含む。データは、暗号化され又はされない小さなｘｍｌストリング又は他のテキストストリングとして保存することができる。
【図面の簡単な説明】
【００３０】
添付図面を参照する例示のみによって、本発明のこれらの及び他の側面が以下に記載される。
【００３１】
【図１】本発明の第１構成にある一実施例に係る反応容器アセンブリを示す。
【図２】第２構成に向かって動く図１の反応容器アセンブリを示す。
【図３】第２構成にある図１の反応容器アセンブリを示す。
【図４】図１のアセンブリの反応容器を拡大図で示す。
【図５】図４の反応容器の一つのチップを示す図である。
【発明を実施するための形態】
【００３２】
図１から３を参照すると、本発明の一実施例に係る反応容器アセンブリ１０の異なる図が示される。アセンブリ１０は反応容器アレイ１２を含む。反応容器アレイ１２は、ストリップ内で接合された３つの反応容器１４を含む。アセンブリ１０はまた、ケーシング１６も含む。ケーシング１６は、反応容器１４を受容する開口１８と、開口１８に対向する係合表面２０とを有する。
【００３３】
各反応容器１４は、幅広マウス２２、幅狭の細長いボディ２４、及びチップ２６を含む。ストリップを形成する３つの反応容器１４がマウス２２において、リップ３０を含む接続片２８によって接合される。
【００３４】
ケーシング１６の係合表面２０には３つの突起３２が設けられる。突起３２は、適切な構成にある場合に反応容器１４のマウス２２と整合するようなサイズ、形状、配置にされる。係合表面２０は、隆起エッジ３４によって部分的に包囲される。隆起エッジ３４には、一連の戻り止め３６が配置される。
【００３５】
図４は、反応容器アレイ１２の一部の拡大図を示す。この図から明確にわかるように、接続片２８のリップ３０には、リップ３０の長さに沿って延びる内部隆起ビード３８が形成される。これは、隆起ビードに重なる外部溝と平行をなす。図はまた、反応容器の比較的幅狭なボディ２４を示す。これは、毛細管タイプである。マウス２２はかなり幅広であり、ボディ２４のほぼ３倍の広さである。反応容器アレイは、成形ポリカーボネート、例えば、Ｍａｋｒｏｌｏｎ（登録商標）から形成される。
【００３６】
反応容器のチップ２６が図５に詳細に示される。チップは、容器のチップにおいて正メニスカスレンズをなすように成形される。これは、サンプルにより生成された光をコリメートする役割を果たす。その結果、容器のチップを出る光が均一となる。コリメートされた光は、サンプルの全長にわたる蛍光を代表する。これにより、高価になり得る外部レンズの必要性がなくなり、サーマルサイクラーの光ダイオードを当該管近くに配置することができるので、低コストかつ低感度の光ダイオードを使用することができる。他の光アセンブリは、ほとんどが高価なダイクロイックミラー及び複雑な光経路を有する。光学系の簡潔さによって、機器のコストが低下する。サンプルブロックにおける管について、整合性要件が一つのみであるという事実によってさらなる利点が生じる。すなわち、光学部品が整合不良となる可能性がなくなる。これにより、サーマルサイクラーの可搬性及び堅牢性を得ることができる。
【００３７】
反応容器を成形ポリカーボネートから製造することは、正メニスカスレンズを形成することが比較的簡単になることを意味する。成形ベントがレンズの上方に生じ得る。これは、管の基部にわずかな小アパチャを設けることによって、さらに改善することができる。レンズによって、多くのプラスチックが底部に集積することができる。ここでも、チップの前方にベントが生じ得る。その結果、光信号と干渉しない目標線が得られる。これにより、サンプル加熱の良好な熱性能並びに動力学及び均一性の改善を与える０．２５から０．３５ｍｍの薄壁セクションが得られる。
【００３８】
反応容器アセンブリは以下のように使用することができる。図１は、アセンブリの第１構成を示す。ここで、反応容器アレイ１２はケーシング１６の開口１８内に配置される。アレイ１２のリップ３０上の隆起ビード３８がケーシング１６の周縁と係合し、アレイ１２及びケーシング１６がともに締まり嵌め状態に保持される。この構成において、反応容器アレイは、ケーシング１６による損傷及び汚染から保護される。アセンブリ全体を、ケーシング１６のみを保持することによって持ち運び移動することができる。サンプルは第１構成のまま反応容器１４内に装填される。ケーシングは、取り扱いからの熱伝達を排除又は低減する。
【００３９】
サンプルが装填されると、ユーザは、反応容器アレイ１２をケーシング１６から取り外し（図２）、当該アセンブリを第２構成に配置する（図３）。この構成において、アレイ１２は、ケーシングの取り付け表面２０上に配置される。突起３２は、反応容器のマウス２２内にぴったりと嵌められる。これが、少なくとも部分的にアレイ１２をケーシング１６上に保持する役割を果たす締まり嵌めを形成する。容器のマウス２２の形状によって、突起３２は、容器のボディ２４上方の空間のほとんどを埋めることができる。これが、蒸発に起因するサンプル喪失を最小限にする。この配置がまた、容器内圧力を高めるので、ここでも蒸発が低減される。これは、容器を作るのに使用されるポリカーボネート材料の親水性能と組み合わされて、当該界面におけるサンプル喪失を制限する。さらに、ボディの毛細管特性が、マウス内の突起の気密嵌め及び親水性材料とともに、埋められた反応容器を、サンプル喪失なしでサイクル中に実質水平に保持することを可能とする。
【００４０】
第２構成にある場合、ケーシング１６上の戻り止め３６が反応容器アレイ上の溝３８に係合し、当該ケーシングが所定位置に保持される。
【００４１】
この第２構成において、ケーシング１６は、反応容器を保持かつ操作するハンドルとして使用することができる。ここでも、当該容器に直接触れる必要がない。ユーザは、サンプルでの複数の反応を遂行するべく、ケーシング１６を保持してサーマルサイクラーの中にアセンブリを挿入することができる。典型的に、これらの反応は、サンプルが蛍光を発生することに関連する。上述したことであるが、反応容器のチップにおけるコリメートレンズは、サンプルからの任意の放出光をコリメートする役割を果たす。これがその後、サーマルサイクラー中の光ダイオード又は他の適切なセンサによって検出される。
【００４２】
例示のみによって記載したが、当業者であれば、記載の実施例に対してなされ得る他の変形例がわかるだろう。
【図１】
2014505856.tif 000003
【図２】
2014505856.tif 000004
【図３】
2014505856.tif 000005
【図４】
2014505856.tif 000006
【図５】
2014505856.tif 000007
【国際調査報告】
2014505856.tif 000008
2014505856.tif 000009
2014505856.tif 000010
2014505856.tif 000011